(57)【要約】【課題】本発明は、枕をして寝ている睡眠者の脳波情報を感知してスマートフォンに通報し、スマートフォンから睡眠者の脳波情報に基づき睡眠者の熟睡に最も適合した音楽や音響を受信して枕を通して睡眠者に提供することによって睡眠者が熟睡を維持できるようにするスマート枕システム及びその製作方法に関するものである。【解決手段】本発明に係るスマート枕システムは、一つのエアーメッシュにスピーカーと電線とが挿入される位置が夫々切開されてスピーカー形状の溝と線の形状の溝とが形成され、上記スピーカー形状の溝に接着剤を介してスピーカーが付着され、上記線の形状の溝に上記電線が挿入されてケーブルタイ（Ｃａｂｌｅ  Ｔｉｅ）によって縛られて固定され、上記電線が挿入された線の形状の溝に沿って接着剤が塗布され、上記スピーカーにメッシュ状の膜が付着され防水処理され、使用者端末機と信号を送受信するための通信部が上記電線に連結され、上記一つのエアーメッシュに対して上下に他のエアーメッシュらが幾重にも重なり積層された後、上記一つのエアーメッシュを含めて他のエアーメッシュらに対して枕形状の外皮（Ｃｏｖｅｒ）が着せられた枕を含むことを特徴とする。【選択図】図１
2016527009.tif 000002
【特許請求の範囲】
【請求項１】
一つのエアーメッシュに、スピーカーと電線とが挿入される位置が夫々切開されて、スピーカー形状の溝と線の形状の溝とが形成され、上記スピーカー形状の溝に接着剤を介してスピーカーが付着され、上記線の形状の溝に上記電線が挿入されてケーブルタイ（Ｃａｂｌｅ  Ｔｉｅ）によって縛られて固定され、上記電線が挿入された線の形状の溝に沿って接着剤が塗布され、上記スピーカーにメッシュ状の膜が付着され防水処理され、使用者端末機と信号を送受信するための通信部が上記電線に連結され、上記一つのエアーメッシュに対して上下に他のエアーメッシュらが幾重にも重なり積層された後、上記一つのエアーメッシュを含めて他のエアーメッシュらに対して枕形状の外皮（Ｃｏｖｅｒ）が着せられた枕を含むことを特徴とする、スマート枕システム。
【請求項２】
上記枕は、睡眠者が睡眠状態から目覚めて非睡眠状態になったことを感知してアラーム（Ａｌａｒｍ）信号を発生し、上記睡眠者の脳波を測定して、測定した睡眠者の脳波情報を上記アラーム信号とともに上記通信部を通じて上記使用者端末機に伝送し、上記使用者端末機から睡眠者の脳波情報に基づいた熟睡制御信号を受信して睡眠者が熟睡を維持するようにする音楽や音響を出力し、
上記使用者端末機は上記枕から睡眠者が睡眠状態から目覚めたことを知らせるアラーム信号とともに睡眠者の脳波情報を受信し、睡眠者の脳波情報に基づき睡眠者が熟睡を維持するのに適合した音楽や音響を含む熟睡制御信号を上記枕に伝送するのを特徴とする、請求項１に記載のスマート枕システム。
【請求項３】
上記枕は、
上記通信部を通じて上記使用者端末機と有線または無線で通信し、
上記睡眠者の頭を支持できるように形成された本体フレーム；
上記本体フレームの内部に備えられた感知センサーを通して睡眠状態及び非睡眠状態を感知する睡眠感知部；
上記睡眠者の脳波を測定して脳波情報で上記使用者端末機に伝送する脳波測定部；
上記睡眠感知部を通して睡眠者の非睡眠状態が感知された場合、睡眠状態から目覚めたことを知らせるアラーム信号を出力する非睡眠アラーム部；及び
上記使用者端末機から受信した熟睡制御信号にしたがって睡眠者が熟睡を取るように誘導する音楽や音響を出力する音響出力部；を
含むことを特徴とする、請求項２に記載のスマート枕システム。
【請求項４】
上記枕が、上記使用者端末機の周辺に１つ以上複数存在する場合、上記使用者端末機が第１マスター端末機として動作し、使用者端末機に最も近い距離にある第１枕が第１スレーブ端末機として動作して上記第１マスター端末機である上記使用者端末機から上記熟睡制御信号を第１スレーブ端末機である上記第１枕に伝送し、上記第１枕は、最も近い距離に第２枕が存在すれば第２マスター端末機として動作し、上記第２枕は第２スレーブ端末機として動作して上記第２マスター端末機である上記第１枕から上記熟睡制御信号を上記第２スレーブ端末機である上記第２枕に伝送し、このような過程を通して、近距離で隣接する各枕がマスター端末機またはスレーブ端末機として動作して、第Ｎ−１枕は最も近い距離に第Ｎ枕が存在すれば第Ｎマスター端末機として動作し、上記第Ｎ枕は第Ｎスレーブ端末機として動作して上記第Ｎマスター端末機である上記第Ｎ−１枕から上記熟睡制御信号を上記第Ｎスレーブ端末機である上記第Ｎ枕に伝送することになり、上記熟睡制御信号が上記第１枕から上記第Ｎ枕までの線形構造のネットワークを通して順次伝送されることによって、上記第１枕〜上記第Ｎ枕が上記熟睡制御信号に基づき動作することを特徴とする、請求項２に記載のスマート枕システム。
【請求項５】
上記熟睡制御信号が、上記マスター端末機から上記スレーブ端末機まで伝送される時間がＡ秒の場合、上記使用者端末機から上記第１枕を経由して上記第Ｎ枕まで上記熟睡制御信号が伝送される時間はＡ秒＊Ｎと算出されることを特徴とする、請求項４に記載のスマート枕システム。
【請求項６】
上記使用者端末機は、
上記脳波情報に対応した音楽や音響を含む環境情報を格納しているメモリー部；
上記脳波情報に対応した音楽や音響の一つを選択するための入力部；
上記枕から受信したアラーム信号を画面上に出力するか、音響で出力するアラーム処理部；及び
上記睡眠者の脳波情報に基づき睡眠者が熟睡を取るように誘導する熟睡制御信号を上記枕に伝送するように制御するアプリケーション部；を
含むことを特徴とする、請求項２に記載のスマート枕システム。
【請求項７】
上記本体フレームは、上記睡眠者の頭が安着できるように中心部に貫通孔が形成され、外郭から貫通孔まで傾斜するように凹んだ形状に形成されたエアーメッシュが枚葉で幾重にも重なり積層された枕形状をなし、外郭から貫通孔まで傾斜するように凹んだ形状に形成されたことを特徴とする、請求項５に記載のスマート枕システム。
【請求項８】
上記脳波測定部は、電極からなる感知センサーを通して頭皮表面の電流を検出して、デルタ波（Ｄｅｌｔａ  ｗａｖｅ）、シータ波（Ｔｈｅｔａ  ｗａｖｅ）、アルファ波（ａｌｐｈａ  ｗａｖｅ）、ベータ波（Ｂｅｔａ  ｗａｖｅ）、ガンマ波（Ｇａｍｍａ  ｗａｖｅ）を含む脳の電気的信号を測定することを特徴とする、請求項５に記載のスマート枕システム。
【請求項９】
（ａ）一つのエアーメッシュにスピーカー（Ａ１、Ｂ１）と電線（Ｃ）とが挿入される位置が切開されてスピーカー形状の溝と線の形状の溝とが形成される段階；
（ｂ）上記線の形状の溝に上記電線が挿入され、上記スピーカー形状の溝に接着剤を介して上記スピーカーが付着される段階；
（ｃ）上記線の形状の溝に挿入された電線が一定間隔でケーブルタイ（Ｃａｂｌｅ  Ｔｉｅ）によって、上記エアーメッシュの原反に縛られて固定される段階；
（ｄ）上記電線に外部の使用者端末機と信号を送受信するための通信部が連結される段階；
（ｅ）上記一つのエアーメッシュに対して、上下に他のエアーメッシュらが幾重にも積層される段階；及び
（ｆ）上記幾重にも積層された他のエアーメッシュらに枕形状の外皮が着せられる段階；を
含むことを特徴とする、スマート枕の製作方法。
【請求項１０】
上記（ａ）段階は、上記一つのエアーメッシュの原反に上記スピーカーが挿入される位置に四角形状が表示され、上記電線が挿入される位置に沿って線が表示され、上記スピーカーと上記電線とが挿入される位置が切開されスピーカー形状の溝と線の形状の溝とが形成されることを特徴とする、請求項９に記載のスマート枕の製作方法。
【請求項１１】
上記（ａ）段階は、上記スピーカーと上記電線とが挿入される位置が上記一つのエアーメッシュが有する厚さの半分の厚さに該当する深さで全体切開でなく半分の側面だけ切開されてスピーカー形状の溝と線の形状の溝とが形成されることを特徴とする、請求項１０に記載のスマート枕の製作方法。
【請求項１２】
上記（ｂ）段階は、上記スピーカーにメッシュ状の膜が付着され防水処理されることを特徴とする、請求項９に記載のスマート枕の製作方法。
【請求項１３】
上記（ａ）段階または上記（ｂ）段階において、上記エアーメッシュの原反に位置する上記スピーカー（Ａ１、Ｂ１）に対し、睡眠者の左耳珠部（ａ１）及び右耳珠部（ｂ１）が対応されるように左側スピーカー（Ａ１）と右側スピーカー（Ｂ１）の間隔を維持することを特徴とする、請求項９に記載のスマート枕の製作方法。
【請求項１４】
上記左側スピーカー（Ａ１）と上記右側スピーカー（Ｂ１）の間隔が１８００ｍｍ〜２０００ｍｍに維持されたことを特徴とする、請求項１３に記載のスマート枕の製作方法。
【請求項１５】
上記（ｃ）段階は、上記電線が挿入された線の形状の溝に沿って接着剤が塗布されて追加的に固定されることを特徴とする、請求項９に記載のスマート枕の製作方法。
【請求項１６】
上記（ｃ）段階は、上記エアーメッシュの原反に上記電線（Ｃ）が挿入された線の形状の溝に沿って接着剤が塗布される時、上記線の形状の溝を全て埋める方式で上記線の形状の溝と上記電線（Ｃ）がともに接着剤で塗布されたことを特徴とする、請求項１５に記載のスマート枕の製作方法。
【発明の詳細な説明】
【技術分野】
【０００１】
本発明は、スマート枕システム及びその製作方法に関するもので、より詳しくは、枕をして寝ている睡眠者の熟睡状態を感知し、睡眠者が起きた場合、睡眠者を管理する使用者のスマートフォンに通報し、睡眠者の脳波情報に基づき睡眠者の熟睡に最も適合した音楽や音響を枕を通して睡眠者に提供し、睡眠者が再度熟睡ができるようにするスマート枕システム及びその製作方法に関するものである。
【背景技術】
【０００２】
一般に、非常に安楽な状態での熟睡は人体の健康に非常に重大な影響をおよぼすため、睡眠に使われる枕の適切な使用とその機能は人体の新陳代謝を調節し影響を及ぼす重要な要素と言える。
【０００３】
このような熟睡をするためには、一定高さの枕をしなければその安楽さを感じることができないが、これは頭を支えている頚椎が脊椎と同一直線上に位置せず、一定の曲線で形成されているため、人体の頚椎と脊椎とがずれている高さと近接する高さを持つ枕をした時に枕によって頚椎が垂れることなく、枕に安置されるためである。
【０００４】
仮に、枕の高さが高いまたは低い場合、頚椎が直線に伸びたり、過度に曲がったりした状態で一瞬固まってしまい、使用者が立ち上がった時に本来の頚椎の形に戻る過程で頚椎周囲の神経や筋肉を刺激して凝ったような感じがしたり、酷い場合は脊椎が捩れるという問題点が発生する。
【０００５】
したがって、このような枕の重要性の台頭につれて、最近は頚椎を保護できる機能性枕は、メモリーフォーム、スポンジ、綿、ラテックス素材の少なくともいずれか一つで形成され、底面が扁平な本体、本体上面の中間部分に盛り上がって突出形成され、使用者の頭が後に反り返らないよう首を支える頚椎支え部、頚椎支え部の後方に一体型に延長形成され使用者の後頭部を支えて支持する後頭支え部、頚椎支え部の前方に一体型に延長形成され使用者の肩部位を支えるように下向き傾斜した肩支え部及び本体の外側面を囲んで支持して、陰イオン、遠赤外線放射物質、芳香剤のいずれか一つが粉末または粘液質として内側面に塗布処理され、通気性を有するカバーを含めて構成される。
【０００６】
このような枕の場合、ウレタン、ラテックスといった高価な材質を圧縮成形して製作するので、製造がきわめて困難になることはもちろん、骨伝導スピーカーが上段部に構成されて、長時間使用の時は頭が痛い現象が発生し、また頭が左右に移動して枕から離れてしまい、快適な熟睡を継続的に取れないという問題点があった。
【先行技術文献】
【特許文献】
【０００７】
【特許文献１】韓国登録特許公報第１０−１３５８８８１号（登録日：２０１４年０１月２８日）
【発明の概要】
【発明が解決しようとする課題】
【０００８】
本発明は上記課題に鑑みてなされたものであり、その目的は、枕をして寝ている睡眠者の熟睡状態を感知し、睡眠者が目覚めた場合、睡眠者を管理する使用者のスマートフォンに通報し、睡眠者の脳波情報に基づき睡眠者の熟睡に最も適合した音楽や音響を枕を通して睡眠者に提供して睡眠者が再度熟睡ができるようにするスマート枕システム及びその製作方法を提供することである。
【課題を解決するための手段】
【０００９】
前述した目的を達成するための本発明に係るスマート枕システムは、一つのエアーメッシュにスピーカーと電線とが挿入される位置が夫々切開されスピーカー形状の溝と線の形状の溝とが形成され、上記スピーカー形状の溝に接着剤を介してスピーカーが付着され、上記線の形状の溝に上記電線が挿入されてケーブルタイ（Ｃａｂｌｅ  Ｔｉｅ）によって縛られ固定され、上記電線が挿入された線の形状の溝に沿って接着剤が塗布され、上記スピーカーにメッシュ状の膜が付着され防水処理され、使用者端末機と信号を送受信するための通信部が上記電線に連結されて、上記一つのエアーメッシュに対して上下に他のエアーメッシュらが幾重にも重なり積層された後、上記一つのエアーメッシュを含めて他のエアーメッシュらに対して枕状の外皮（Ｃｏｖｅｒ）が着せられた枕を含む。
【００１０】
上記枕は、睡眠者が睡眠状態から目覚めて非睡眠状態になったことを感知してアラーム（Ａｌａｒｍ）信号を発生し、上記睡眠者の脳波を測定して、測定した睡眠者の脳波情報を上記アラーム信号とともに上記通信部を通じて上記使用者端末機に伝送し、上記使用者端末機から睡眠者の脳波情報に基づいた熟睡制御信号を受信して睡眠者が熟睡を維持するようにする音楽や音響を出力し、
上記使用者端末機は、上記枕から睡眠者が睡眠状態から目覚めたことを知らせるアラーム信号とともに睡眠者の脳波情報を受信して、睡眠者の脳波情報に基づき睡眠者が熟睡を維持するのに適合した音楽や音響を含む熟睡制御信号を上記枕に伝送する。
【００１１】
上記枕は、上記通信部を通じて上記使用者端末機と有線または無線で通信し、上記睡眠者の頭を支持できるように形成された本体フレーム；上記本体フレームの内部に備えられた感知センサーを通して睡眠状態及び非睡眠状態を感知する睡眠感知部；上記睡眠者の脳波を測定して脳波情報で上記使用者端末機に伝送する脳波測定部；上記睡眠感知部を通して睡眠者の非睡眠状態が感知された場合、睡眠状態から目覚めたことを知らせるアラーム信号を出力する非睡眠アラーム部；及び上記使用者端末機から受信した熟睡制御信号によって睡眠者が熟睡を取るように誘導する音楽や音響を出力する音響出力部を含む。
【００１２】
上記使用者端末機は、上記脳波情報に対応した音楽や音響を含む環境情報を格納しているメモリー部；上記脳波情報に対応した音楽や音響の一つを選択するための入力部；上記枕から受信したアラーム信号を画面上に出力し、または音響で出力するアラーム処理部；及び上記睡眠者の脳波情報に基づき睡眠者が熟睡を取るように誘導する熟睡制御信号を上記枕に伝送するように制御するアプリケーション部を含む。
【００１３】
上記本体フレームは、上記睡眠者の頭が安着できるように、中心部に貫通孔が形成され、外郭から貫通孔まで傾斜するように凹んだ形状に形成されたエアーメッシュが枚葉で幾重にも重なり積層された枕形状をなし、外郭から貫通孔まで傾斜するように凹んだ形状に形成される。
【００１４】
上記脳波測定部は、電極からなる感知センサーを通して頭皮表面の電流を検出してデルタ波（Ｄｅｌｔａ  ｗａｖｅ）、シータ波（Ｔｈｅｔａ  ｗａｖｅ）、アルファ波（ａｌｐｈａ  ｗａｖｅ）、ベータ波（Ｂｅｔａ  ｗａｖｅ）、ガンマ波（Ｇａｍｍａ  ｗａｖｅ）を含む脳の電気的信号を測定する。
【００１５】
一方、前述した目的を達成するための本発明に係るスマート枕の製作方法は、（ａ）一つのエアーメッシュにスピーカー（Ａ１、Ｂ１）と電線（Ｃ）とが挿入される位置が切開され、スピーカー形状の溝と線の形状の溝とが形成される段階；（ｂ）上記線の形状の溝に上記電線が挿入されて、上記スピーカー形状の溝に接着剤を介して上記スピーカーが付着される段階；（ｃ）上記線の形状の溝に挿入された電線が一定間隔でケーブルタイによって上記エアーメッシュの原反に縛られて固定される段階；（ｄ）上記電線に外部の使用者端末機と信号を送受信するための通信部が連結される段階；（ｅ）上記一つのエアーメッシュに対して上下に他のエアーメッシュらが幾重にも積層される段階；及び（ｆ）上記幾重にも積層された他のエアーメッシュらに枕形状の外皮が着せられる段階を含む。
【００１６】
上記（ａ）段階は、上記一つのエアーメッシュの原反に上記スピーカーが挿入される位置に四角形状が表示され、上記電線が挿入される位置に沿って線が表示され、上記スピーカーと上記電線とが挿入される位置が切開されてスピーカー形状の溝と線の形状の溝とが形成される。
【００１７】
上記（ａ）段階は、上記スピーカーと上記電線とが挿入される位置が上記一つのエアーメッシュの厚さの半分の厚さに該当する深さで全体切開ではなく半分の側面だけ切開されてスピーカー形状の溝と線の形状の溝とが形成される。
【００１８】
上記（ｂ）段階は、上記スピーカーにメッシュ状の膜が付着され防水処理される。
【００１９】
上記（ａ）段階または上記（ｂ）段階において、上記エアーメッシュの原反に位置する上記スピーカー（Ａ１、Ｂ１）に対して、睡眠者の左耳珠部（ａ１）及び右耳珠部（ｂ１）が対応されるように左側スピーカー（Ａ１）と右側スピーカー（Ｂ１）の間隔を維持することができる。
【００２０】
上記左側スピーカー（Ａ１）と上記右側スピーカー（Ｂ１）の間隔を１８００ｍｍ〜２０００ｍｍに維持することができる。
【００２１】
上記（ｃ）段階は、上記電線が挿入された線の形状の溝に沿って接着剤が塗布されて追加的に固定できる。
【００２２】
上記（ｃ）段階は、上記エアーメッシュの原反に上記電線（Ｃ）が挿入された線の形状の溝に沿って接着剤が塗布される時に、上記線の形状の溝を全て埋める方式で上記線の形状の溝と上記電線（Ｃ）とを接着剤で塗布できる。
【発明の効果】
【００２３】
本発明によれば、３Ｄエアーメッシュ（Ａｉｒ−ｍｅｓｈ）素材からなり、ラテックス素材のようなクッション感を与えつつ通気性が高く汗が染みない涼しい状態で熟睡をすることができる。
【００２４】
また、音響出力スピーカーを枕の中下段部に設置して硬い感じがなく、スマートフォンから枕に有線ではない無線でサウンドを伝送することによって、睡眠中に睡眠者が身体を寝返ったりしてもサウンドを連続的に再生できる。
【００２５】
そして、睡眠者の脳波情報を予めアプリケーションを通してスマートフォンに格納しておいて、睡眠者が熟睡から目覚めた場合に、睡眠者の脳波情報に基づき睡眠者が最も熟睡できる音楽や音響を選択して提供することによって、睡眠者は再度熟睡をすることができる。
【図面の簡単な説明】
【００２６】
【図１】本発明の実施例に係るスマート枕システムの全体的な構成を概略的に示した構成図。
【図２】本発明の実施例に係る枕の内部構成を概略的に示した構成図。
【図３】本発明の実施例に係る使用者端末機の内部構成を概略的に示した構成図。
【図４】本発明の実施例に係るスマート枕システムの熟睡誘導動作制御方法を説明するための動作フローチャート。
【図５】本発明の実施例に係る脳波情報に対応されている音響や音楽情報のうち現在睡眠者の脳波情報に該当する音楽を選択する例を示した図面。
【図６】本発明の実施例に係るスマート枕システム製作方法を説明するための動作フローチャート。
【図７】本発明の実施例に係る枕の本体フレームを製作するための両面エアーメッシュを示した図面。
【図８】本発明の実施例に係る枕のエアーメッシュ原反にスピーカーが位置するように四角形状と電線とが挿入される位置に線を表示した例を示した図面。
【図９】本発明の実施例に従ってスピーカーと電線を挿入するためにエアーメッシュ原反を切開する例を示した図面。
【図１０】本発明の実施例に従ってＡｉｒ−ｍｅｓｈ原反にスピーカーが挿入される位置に四角形状の溝と、電線が挿入される線の形状に沿って長い溝が形成された例を示した図面。
【図１１】本発明の実施例に係るＡｉｒ−ｍｅｓｈ原反に、スピーカーが挿入される位置の四角形状にスピーカーを付着する例を示した図面。
【図１２】本発明の実施例に係るＡｉｒ−ｍｅｓｈ原反に、電線が挿入された溝に沿って一定間隔でケーブルタイを利用し電線と原反とを縛って固定する例を示した図面。
【図１３】本発明の実施例に係るＡｉｒ−ｍｅｓｈ原反に、電線が挿入された溝に沿って接着剤を塗布して電線がＡｉｒ−ｍｅｓｈ原反から動かないように追加的に固定した例を示した図面。
【図１４】本発明の実施例に係るＡｉｒ−ｍｅｓｈ原反の四角形状の溝に挿入されたスピーカーに各ｍｅｓｈ状の膜を付着して防水処理した例を示した図面。
【図１５】本発明の実施例に係る枕の内部にスピーカーが睡眠者の耳珠部に対応される位置に固定されて、スピーカーから熟睡誘導音楽がよく伝達される例を示した図面。
【図１６】本発明の実施例に従って、使用者端末機の周辺に枕が１つ以上複数存在する場合に、熟睡制御信号が使用者端末機から複数の枕に伝送される過程を示した図面。
【発明を実施するための形態】
【００２７】
以下、添付した図面を参照して本発明の実施例に対して本発明の属する技術分野で通常の知識を有する者が容易に実施できるように詳細に説明する。本発明は、多様な異なる形態で具現することができるもので、ここで説明する実施例に限定されるものではない。
【００２８】
本発明を明確に説明するために、説明と関係のない部分は省略し、明細書全体を通して同一または類似の構成要素に対しては同一符号を付する。
【００２９】
明細書全体において、ある部分が他の部分と”連結”されているとした時、これは”直接的に連結”されている場合だけでなく、その中間に他の素子を挟んで”電気的に連結”されている場合を含む。また、ある部分がある構成要素を”含む”とした時、これは特に反対の記載がない限り、他の構成要素を除外するものではなく他の構成要素をさらに含むことができることを意味する。
【００３０】
ある部分が他の部分の”上に”あると言及した場合、これは他の部分の真上にあることだけでなくその間に他の部分が随伴されることもあり得る。対比的に、ある部分が他の部分の”真上に”あると言及した場合、その間に他の部分は随伴されない。
【００３１】
第１、第２及び第３などの用語は多様な部分、成分、領域、層及び／またはセクションを説明するために使われるが、これらに限定されない。これらの用語は、ある部分、成分、領域、層またはセクションを他の部分、成分、領域、層またはセクションと区別するためにのみ使用される。したがって、以下で叙述する第１部分、成分、領域、層またはセクションは本発明の範囲を逸脱しない範囲内で第２部分、成分、領域、層またはセクションと言及され得る。
【００３２】
ここで使われる専門用語は、単に、特定実施例を言及するためのものであり、本発明を限定することを意図するものではない。ここで使われる単数の形態は、語句がこれと明確に反対の意味を表さない限り複数の形態も含む。明細書で使われる”含む”の意味は特定の特性、領域、整数、段階、動作、要素及び／または成分を具体化するものであり、他の特性、領域、整数、段階、動作、要素及び／または成分の存在や付加を除外するものではない。
【００３３】
”下”、”上”などの相対的な空間を表す用語は、図面に示された一の部分の他の部分に対する関係をより容易に説明するために使用され得る。このような用語は、図面で意図した意味とともに、使用中の装置の他の意味や動作を含むように意図される。例えば、図面中の装置をひっくり返せば、他の部分の”下”にあるものと説明されたある部分は、他の部分の”上”にあるものと説明される。したがって”下”という例示的な用語は上と下の両方を含む。装置は９０°回転または他の角度に回転でき、相対的な空間を表す用語もこれにしたがって解析される。
【００３４】
他に定義はしていないものの、ここで使われる技術用語及び科学用語を含む全ての用語は、本発明の属する技術分野において通常の知識を有する者が一般的に理解する意味と同じ意味を持つ。一般的に使われる辞書に定義された用語は、関連技術文献と現在開示された内容に符合する意味を有するものと追加解析され、定義されない限り理想的または非常に公式的な意味に解析されない。
【００３５】
以下、添付図面を参照して本発明の実施例に対して、本発明の属する技術分野において通常の知識を有した者が容易に実施できるように詳細に説明する。しかしながら、本発明は多様な異なる形態で具現することができるもので、ここで説明する実施例に限定されない。
【００３６】
図１は本発明の実施例に係るスマート枕システムの全体的な構成を概略的に示した構成図である。
【００３７】
図１を参照すれば、本発明の実施例に係るスマート枕システム（１００）は、枕（１１０）及び使用者端末機（１２０）を含む。
【００３８】
枕（１１０）は一つのエアーメッシュにスピーカーと電線とが挿入される位置が夫々切開されて、スピーカー形状の溝と線の形状の溝とが形成され、スピーカー形状の溝に接着剤を介してスピーカーが付着され、線の形状の溝には電線が挿入されてケーブルタイ（Ｃａｂｌｅ  Ｔｉｅ）によって縛られ固定され、電線が挿入された線の形状の溝に沿って接着剤が塗布され、スピーカーにメッシュ状の膜が付着され防水処理され、使用者端末機と信号を送受信するための通信部が電線に連結され、一つのエアーメッシュに対して上下に一定の厚さを有する他のエアーメッシュらが幾重にも重なり積層されてから枕状の外皮で着せられる。これについて図６を参照してより詳細に説明する。
【００３９】
枕（１１０）は、睡眠者が睡眠状態から目覚めて非睡眠状態になったことを感知してアラーム（Ａｌａｒｍ）信号を発生し、睡眠者の脳波を測定して、測定した睡眠者の脳波情報を使用者端末機（１２０）に伝送して、使用者端末機（１２０）から睡眠者の脳波情報に基づいた熟睡制御信号を受信して睡眠者が熟睡を維持するようにする音楽や音響を出力する。
【００４０】
また、枕（１１０）は睡眠者の頭が安定的に安着できるように中心部に貫通孔（２１２）が形成されて、外郭から貫通孔（２１２）まで凹んだ形状に形成されるように構成できる。すなわち、大人のための成人用の枕は中心部に貫通孔が形成されていない形態で、子供のための乳児用枕は中心部に貫通孔が形成されていて、頭が貫通孔に安着して頭の形を形成するのに役立つ形態と言える。
【００４１】
また、枕（１１０）は、通気性が良く、使用者に触感が感じられるように３Ｄエアーメッシュ（Ａｉｒ−ｍｅｓｈ）素材で形成される。
【００４２】
そして、枕（１１０）は、音響を出力するスピーカーが内部の下部に備えられ、そのスピーカーから出力された音響信号が３Ｄエアーメッシュ（Ａｉｒ−ｍｅｓｈ）素材を通して上部に伝達されて睡眠者に提供される構造を持つ。
【００４３】
使用者端末機（１２０）は、枕（１１０）から睡眠者が睡眠状態から目覚めたことを知らせるアラーム（Ａｌａｒｍ）信号を受信するとともに、睡眠者の脳波情報を受信して、睡眠者の脳波情報に基づき睡眠者の熟睡に適合した音楽や音響を含む情報を熟睡制御信号で枕（１１０）に伝送する。
【００４４】
ここで、熟睡制御信号は睡眠者の脳波情報に基づき睡眠者の熟睡に最も適合した音に該当する音楽や音響信号を含み、脳波情報は電極からなる感知センサーを通して頭皮表面の電流を検出して獲得したデルタ波（Ｄｅｌｔａ  ｗａｖｅ）、シータ波（Ｔｈｅｔａ  ｗａｖｅ）、アルファ波（ａｌｐｈａ  ｗａｖｅ）、ベータ波（Ｂｅｔａ  ｗａｖｅ）、ガンマ波（Ｇａｍｍａ  ｗａｖｅ）を含む。
【００４５】
図２は本発明の実施例に係る枕の内部構成を概略的に示した構成図である。
【００４６】
図２を参照すれば、本発明の実施例に係る枕（１１０）は、本体フレーム（２１０）、睡眠感知部（２２０）、通信部（２３０）、非睡眠アラーム部（２４０）、音響出力部（２５０）及び脳波測定部（２６０）を含む。
【００４７】
本体フレーム（２１０）は睡眠者の頭が安定的に安着できるように、中心部に貫通孔（２１２）が形成されて、外郭から貫通孔（２１２）まで凹んだ形状に形成される。すなわち、本体フレーム（２１０）は中心部に貫通孔が形成された薄い厚さのＡｉｒ−ｍｅｓｈが枚葉で幾重にも重なり積層された枕形状をなし、外郭から貫通孔まで傾斜するように  凹んだ形状に形成されたものである。
【００４８】
睡眠感知部（２２０）は、本体フレームの内部に備えられたセンサーを通して睡眠状態及び非睡眠状態を感知する。
【００４９】
通信部（２３０）は、使用者端末機（１２０）と有線または無線で通信する。
【００５０】
非睡眠アラーム部（２４０）は、睡眠感知部（２２０）を通して睡眠者が睡眠状態から目覚めて非睡眠状態になった場合、睡眠状態から目覚めたことを知らせるアラーム信号を出力する。
【００５１】
音響出力部（２５０）は、使用者端末機（１２０）から受信した熟睡制御信号に従って睡眠者の熟睡に最も適合した音楽や音響を出力する。
【００５２】
脳波測定部（２６０）は、睡眠者の脳波を測定して脳波情報で使用者端末機（１２０）に伝送する。すなわち、脳波測定部（２６０）は、電極からなる感知センサーを通して頭皮表面の電流を検出してデルタ波（Ｄｅｌｔａ  ｗａｖｅ）、シータ波（Ｔｈｅｔａ  ｗａｖｅ）、アルファ波（ａｌｐｈａ  ｗａｖｅ）、ベータ波（Ｂｅｔａ  ｗａｖｅ）、ガンマ波（Ｇａｍｍａ  ｗａｖｅ）を含む脳の電気的信号を測定し、測定した脳の電気的信号を脳波情報で使用者端末機（１２０）に伝送するものである。
【００５３】
この時、デルタ波は深い眠りに入っている時に観測される脳波であり、シータ波は精神を集中して頭脳内部の情報を活用する時や、論理的思考を要する問題を集中して解く時に発生する脳波である。そして、アルファ波は精神を集中して頭脳内部の情報を活用する時に発生する脳波で、ベータ波は肉体活動をする時やあることに没頭する時に主に発生する脳波であり、ガンマ波は緊張と能動的に高度の複合精神機能を遂行する時に発生する脳波である。
【００５４】
図３は本発明の実施例に係る使用者端末機の内部構成を概略的に示した構成図である。
【００５５】
図３を参照すれば、本発明の実施例に係る使用者端末機（１２０）は、通信部（３１０）、メモリー部（３２０）、入力部（３３０）、アラーム処理部（３４０）及びアプリケーション部（３５０）を含む。
【００５６】
ここで、使用者端末機（１２０）は、使用者が携帯できるスマートフォンやＰＤＡを含め、無線や有線の通信が可能なノートブックコンピュータ及びデスクトップコンピュータなども含む。
【００５７】
使用者端末機（１２０）は、脳波情報に基づき睡眠者の熟睡に最も適合した音楽や音響などを設定した後、熟睡制御信号で枕（１１０）に伝送するようにするアプリケーションを端末機の内部のアプリケーション部（３５０）に設置する形態で具現するか、または使用者端末機（１２０）がノートブックやデスクトップコンピュータである場合には、別途のアプリケーションプログラムで端末機の内部に設置できる。
【００５８】
通信部（３１０）は、枕（１１０）と有線または無線で通信する。
【００５９】
メモリー部（３２０）は、脳波情報とそれに対応した音楽や音響を含む環境情報を格納している。
【００６０】
入力部（３３０）は、脳波情報に対応した音楽や音響の一つを選択入力するために用いられる。
【００６１】
アラーム処理部（３４０）は、枕から受信したアラーム信号を画面上に出力するか、音響で出力する。
【００６２】
アプリケーション部（３５０）は、睡眠者の脳波情報に基づき睡眠者が熟睡を取るように誘導する熟睡制御信号を枕（１１０）に伝送するように制御される。
【００６３】
図４は本発明の実施例に係るスマート枕システムの熟睡誘導動作制御方法を説明するための動作フローチャートである。
【００６４】
図４を参照すれば、本発明の実施例に係るスマート枕システム（１００）は、まず、枕（１１０）が睡眠者の睡眠状態を感知する（Ｓ４１０）。
【００６５】
この時、枕（１１０）は圧力センサーを通じて睡眠者の頭により押される圧力値の変化を感知して睡眠状態を感知できる。
【００６６】
また、枕（１１０）は動き感知センサーを通して睡眠者が熟睡状態から目覚めて寝返る動作状態を感知できる。
【００６７】
そして、枕（１１０）は脳波測定部（２６０）を通して測定した脳波情報に基づきデルタ波が感知されると熟睡状態と認識し、シータ波をはじめ、アルファ波、ベータ波、ガンマ波などが感知されると非睡眠状態と認識できる。
【００６８】
次に、枕（１１０）が非睡眠状態を感知した場合に睡眠状態から目覚めたことを知らせるアラーム信号及び脳波情報を使用者端末機（１２０）に伝送する（Ｓ４２０）。
【００６９】
この時、枕（１１０）はマイクロホンを通して睡眠者が熟睡状態から目覚めた時に発生する睡眠者の泣き声や音響の音を入力して非睡眠状態を感知できる。
【００７０】
続いて、使用者端末機（１２０）は睡眠者の脳波情報に基づき睡眠者に適合した音楽や音響情報を算出して出力する（Ｓ４３０）。
【００７１】
すなわち、使用者端末機（１２０）はメモリー部（３２０）に格納されている脳波情報に対応されている音響や音楽情報のうち、図５に示されたように、現在睡眠者の脳波情報に対応されている音響や音楽情報を画面上に出力する。図５は本発明の実施例に係る脳波情報に対応されている音響や音楽情報のうち、現在睡眠者の脳波情報に該当する音楽を選択する例を示した図面である。例えば、睡眠者が深い眠りに入っていて、デルタ波が感知された場合に、その熟睡状態を維持できるようにデルタ波に対応した、非常に静かな音楽や熟睡を維持するのに役立つ音楽などの目録を出力する。
【００７２】
続いて、使用者端末機（１２０）は画面上に出力された音響や音楽のうち、使用者の選択によって睡眠者が熟睡をするように誘導する音楽を選択する（Ｓ４４０）。
【００７３】
すなわち、使用者端末機（１２０）は睡眠者が熟睡から目覚めて睡眠者の脳波情報がベータ波である場合に、睡眠者が熟睡を取れるようにデルタ波に対応した音響や音楽を、図５に示す通り、目録（ｌｉｓｔ）で出力し、出力された目録のうち、使用者の選択による音楽を熟睡誘導音楽に設定する。
【００７４】
続いて、使用者端末機（１２０）は選択された熟睡誘導音楽を枕（１１０）に伝送する（Ｓ４５０）。
【００７５】
したがって、枕（１１０）は使用者端末機（１２０）から受信した熟睡誘導音楽を睡眠者に出力する（Ｓ４６０）。
【００７６】
すなわち、枕（１１０）は例えば、熟睡誘導音楽に選択された”バッハ  −  管弦楽組曲第３番Ｄ長調ＢＷＶ  １０６８，エア（Ｇ線上のアリア）曲”を音響出力部（２５０）を通して可聴音に出力するのである。ここで、音響出力部（２５０）はマイクロスピーカーをはじめ、骨伝導スピーカーなどを含む。
【００７７】
したがって、睡眠者が枕（１１０）をして寝ていて目覚めた時に、自動で睡眠者が熟睡を取るように誘導する音楽がスピーカーを通して提供されることによって、睡眠者は再度熟睡を取ることができるようになる。
【００７８】
一方、枕（１１０）が図１６に示した通り、使用者端末機（１２０）の周辺に１つ以上複数存在できる。この場合、使用者端末機（１２０）は、第１マスター端末機（Ｍ１）として動作し、使用者端末機（１２０）に最も近い距離にある第１枕（Ｍ２／Ｓ１）が第１スレーブ端末機として動作して第１マスター端末機（Ｍ１）である使用者端末機（１２０）から熟睡制御信号を第１スレーブ端末機（Ｓ１）である第１枕（Ｐｉｌｌｏｗ  １）に伝送し、第１枕（Ｐｉｌｌｏｗ  １）は、最も近い距離に第２枕（Ｐｉｌｌｏｗ  ２）が存在すれば第２マスター端末機（Ｍ２）として動作し、第２枕（Ｐｉｌｌｏｗ  ２）は第２スレーブ端末機（Ｓ２）として動作して第２マスター端末機（Ｍ２）である第１枕（Ｐｉｌｌｏｗ  １）から熟睡制御信号を第２スレーブ端末機（Ｓ２）である第２枕（Ｐｉｌｌｏｗ  ２）に伝送し、このような過程を通して、近距離で隣接する各枕がマスター端末機またはスレーブ端末機として動作して、第Ｎ−１枕（Ｐｉｌｌｏｗ  Ｎ−１）は最も近い距離に第Ｎ枕（Ｐｉｌｌｏｗ  Ｎ）が存在すれば第Ｎマスター端末機（Ｍｎ）として動作し、第Ｎ枕（Ｐｉｌｌｏｗ  Ｎ）は第Ｎスレーブ端末機（Ｓｎ）として動作して第Ｎマスター端末機（Ｍｎ）である第Ｎ−１枕（Ｐｉｌｌｏｗ  Ｎ−１）から熟睡制御信号を第Ｎスレーブ端末機（Ｓｎ）である第Ｎ枕（Ｐｉｌｌｏｗ  Ｎ）に伝送することになり、熟睡制御信号が第１枕（Ｐｉｌｌｏｗ  １）から第Ｎ枕（Ｐｉｌｌｏｗ  Ｎ）までの線形構造のネットワークを通して順次伝送されることによって、第１枕（Ｐｉｌｌｏｗ  １）〜第Ｎ枕（Ｐｉｌｌｏｗ  Ｎ）が熟睡制御信号に基づき動作するようになる。
【００７９】
この時、熟睡制御信号が、一つのマスター端末機（Ｍ）から一つのスレーブ端末機（Ｓ）まで伝送される時間がＡ秒の場合、使用者端末機（１２０）から第１枕（Ｐｉｌｌｏｗ  １）を経由して第Ｎ枕（Ｐｉｌｌｏｗ  Ｎ）まで熟睡制御信号が伝送される時間はＡ秒＊Ｎ−１と算出できる。例えば、一つのマスター端末機（Ｍ）から一つのスレーブ端末機（Ｓ）まで伝送される時間が０．３秒で、使用者端末機（１２０）の周辺に１０個の枕が存在する場合に、使用者端末機（１２０）から第１枕（Ｐｉｌｌｏｗ  １）を経由して第１０枕（Ｐｉｌｌｏｗ  １０）まで熟睡制御信号が伝送される時間は０．３秒＊１０と算出され、３秒がかかるようになる。
【００８０】
図６は本発明の実施例に係るスマート枕の製作方法を説明するための動作フローチャートである。
【００８１】
図６を参照すれば、本発明の実施例に係るスマート枕システムは、本体フレーム（２１０）の製作時に、まず、図７のように一定の厚さを有する両面エアーメッシュ（Ａｉｒ−ｍｅｓｈ）を菱形の形態で準備する。図７は本発明の実施例に係る枕の本体フレームを製作するための両面エアーメッシュを示した図面である。図７に図示された通り、横３５００ｍｍ、縦２５００ｍｍ、厚さ１４〜１７ｍｍの両面エアーメッシュを準備する。
【００８２】
続いて、本体フレーム（２１０）で、一定の厚さを有する両面Ａｉｒ−ｍｅｓｈ原反に、睡眠者の頭が枕に安着する時に睡眠者の耳が位置する地点に、図８に示す通り、スピーカー（Ａ１、Ｂ１）が位置するように四角形状（Ａ２、Ｂ２）を表示し、電線（Ｃ）が挿入される位置に線（Ｃ）を表示する（Ｓ６１０）。図８は本発明の実施例に係る枕のエアーメッシュ原反にスピーカーが位置するように四角形状と電線が挿入される位置に線を表示した例を示した図面である。図８に示す通り、両面Ａｉｒ−ｍｅｓｈ原反にスピーカーＡ１とＢ１、そして電線Ｃが挿入される位置に四角形状（Ａ２、Ｂ２）と線（Ｃ）を表示する。この時、スピーカーが安着するＡ２位置とＢ２位置間の距離Ｄは１８００ｍｍ〜２０００ｍｍにする。その理由は、普通の成人の右側耳珠（ａ１）と左側耳珠（ｂ２）間の標準水平距離が１８００ｍｍ〜２０００ｍｍの間であるからである。したがって、スピーカーが両耳の位置点に近いほど横になって枕をしている人に、より効果的なステレオ方式の音を伝達できる。
【００８３】
続いて、本体フレーム（２１０）では、図９に示す通り、両面Ａｉｒ−ｍｅｓｈ原反に対して、スピーカー（Ａ１、Ｂ１）と電線（Ｃ）とが挿入される四角形状（Ａ２、Ｂ２）と線（Ｃ）を切開する（Ｓ６２０）。図９は本発明の実施例にしたがってスピーカーと電線を挿入するためにエアーメッシュ原反を切開する例を示した図面である。すなわち、本体フレーム（２１０）の場合、図９に示す通り、両面Ａｉｒ−ｍｅｓｈ原反に対してスピーカー（Ａ１、Ｂ１）と電線（Ｃ）とが挿入される位置にスピーカー形状（Ａ２、Ｂ２）と線（Ｃ）の形状に沿って切開する。この時、Ｆ１の図式のように全体切開ではなく半分の側面だけ切開する。すなわち、Ａｉｒ−ｍｅｓｈ原反の厚さに対して半分の厚さの溝を形成する形式で切開する。
【００８４】
したがって、図１０に示す通り、電線（Ｃ）が挿入される線（Ｃ）に沿って長い溝が線の形状に形成され、スピーカー（Ａ１、Ｂ１）が挿入される位置に四角形状（Ａ２、Ｂ２）で溝ができている形状をなす。図１０は本発明の実施例にしたがってＡｉｒ−ｍｅｓｈ原反にスピーカーが挿入される位置に四角形状の溝と、電線が挿入される線の形状に沿って長い溝が形成された例を示した図面である。
【００８５】
続いて、本体フレーム（２１０）では、Ａｉｒ−ｍｅｓｈ原反に図１１に示す通り、スピーカー（Ａ１、Ｂ１）が挿入される位置の四角形状（Ａ２、Ｂ２）に接着剤を塗布し、スピーカー（Ａ１、Ｂ１）を付着する（Ｓ６３０）。図１１は本発明の実施例に係るＡｉｒ−ｍｅｓｈ原反にスピーカーが挿入される位置の四角形状にスピーカーを付着する例を示した図面である。図１１に示す通り、電線（Ｃ）はＡｉｒ−ｍｅｓｈ上に既に切開した線（Ｃ）の溝に沿って挿入される。
【００８６】
続いて、本体フレーム（２１０）では、Ａｉｒ−ｍｅｓｈ原反に図１２に示す通り、電線（Ｃ）が挿入された線（Ｃ）の溝に沿って、一定間隔でＣ１、Ｃ２、Ｃ３、Ｃ４、Ｃ５、Ｃ６の位置にケーブルタイ（Ｃａｂｅｌ  Ｔｉｅ）を利用して電線（Ｃ）とＡｉｒ−ｍｅｓｈ原反を縛って線（Ｃ）が動かないように固定する（Ｓ６４０）。図１２は本発明の実施例に係るＡｉｒ−ｍｅｓｈ原反に電線が挿入された溝に沿って一定間隔でケーブルタイを利用して電線と原反を縛って固定する例を示した図面である。したがって、スピーカー（Ａ１、Ｂ１）に連結した線（Ｃ）が睡眠者の動きによる枕の捩れや揺れにも動かないように固定された状態を維持できる。
【００８７】
続いて、本体フレーム（２１０）では、Ａｉｒ−ｍｅｓｈ原反に図１３に示す通り、電線（Ｃ）が挿入された溝に沿って接着剤（例、グルーガン）を塗布して電線（Ｃ）がＡｉｒ−ｍｅｓｈ原反から動かないように追加的に固定する（Ｓ６５０）。図１３は本発明の実施例に係るＡｉｒ−ｍｅｓｈ原反に電線が挿入された溝に沿って接着剤を塗布して、電線がＡｉｒ−ｍｅｓｈ原反から動かないように追加的に固定した例を示した図面である。この時、電線（Ｃ）が挿入された線の形状の溝に沿って、例えば、グルーガン等で接着剤（Ｇ）を塗布する時、線の形状の溝を全て埋める方式で線の形状の溝と電線（Ｃ）をともに接着剤（Ｇ）で塗布する。したがって、スピーカー（Ａ１、Ｂ１）に連結された線（Ｃ）が、枕が動いても接着剤に塗布されてＡｉｒ−ｍｅｓｈ原反に接着されている状態であるので動かないようになる。
【００８８】
続いて、本体フレーム（２１０）では、Ａｉｒ−ｍｅｓｈ原反に図１４に示す通り、四角形状（Ａ２、Ｂ２）の溝に挿入固定されているスピーカー（Ａ１、Ｂ１）にｍｅｓｈ状の膜を付着して防水処理を遂行する（Ｓ６６０）。図１４は本発明の実施例に係るＡｉｒ−ｍｅｓｈ原反の四角形状の溝に挿入されたスピーカーに各ｍｅｓｈ状の膜を付着して防水処理した例を示した図面である。図１４に示す通り、Ａｉｒ−ｍｅｓｈ原反に固定されたスピーカー（Ａ１、Ｂ１）にｍｅｓｈ状の膜を付着して仕上げシーリングをすることによって、スピーカー（Ａ１、Ｂ１）が固定されたホール（Ｈｏｌｅ）部位には、声は出るが水は入らないように防水処理した効果を出すことができる。ここで、スピーカー（Ａ１、Ｂ１）は横２５ｍｍ、縦３０ｍｍの大きさで固定できる。
【００８９】
したがって、睡眠者が枕（１１０）に頭を安着させて睡眠を取る時、図１５に示す通り、Ａｉｒ−ｍｅｓｈ原反の内部にスピーカー（Ａ１、Ｂ１）が位置した所に睡眠者の左耳珠部（ａ１）及び右耳珠部（ｂ１）が対応するように位置されることによって、スピーカー（Ａ１、Ｂ１）から出力される音楽が睡眠者の耳によく伝えられるようになる。図１５は本発明の実施例に係る枕の内部にスピーカーが睡眠者の耳珠部に対応される位置に固定されてスピーカーから熟睡誘導音楽がよく伝えられる例を示した図面である。図１５に示す通り、左側スピーカー（Ａ１）と右側スピーカー（Ｂ１）の距離Ｄは、一般の成人睡眠者の左耳珠部（ａ１）と右耳珠部（ｂ１）の距離と類似して略１８００ｍｍ〜２０００ｍｍ程度である。
【００９０】
続いて、本体フレーム（２１０）の内部にある電線（ｃ）に使用者端末機（１２０）と信号を送受信するための通信部（２３０）が連結される（Ｓ６７０）。
【００９１】
したがって、通信部（２３０）は枕（１１０）の内部にあるスピーカー（Ａ１、Ｂ１）に電線（Ｃ）で連結され、通信部（２３０）は例えば、  外装ブルートゥースレシーバ（Ｅｘｔｒａ  Ｂｌｕｅｔｏｏｔｈ  Ｒｅｃｅｉｖｅｒ）などで具現できる。
【００９２】
続いて、一つのエアーメッシュに対して図１５に示す通り、上下に一定の厚さを有する他のエアーメッシュらが幾重にも積層される（Ｓ６８０）。
【００９３】
そして、一つのエアーメッシュを含めて幾重にも積層された他のエアーメッシュらに対して枕形状の外皮（Ｃｏｖｅｒ）が着せられる（Ｓ６９０）。
【００９４】
すなわち、枕（１１０）の外皮（Ｃｏｖｅｒ）の中には、図７に示された１４〜１７ｍｍ厚さのＡｉｒ−ｍｅｓｈらが枚葉で幾重にも重なり積層されることによって枕形状をなしている。
【００９５】
前述した通り、本発明によれば、枕をして寝ている睡眠者の熟睡状態を感知して、目覚めた場合、睡眠者を管理する使用者のスマートフォンに通報し、睡眠者の脳波情報に基づき睡眠者の熟睡に最も適合した音楽や音響を枕を通して睡眠者に提供して睡眠者が再度熟睡ができるようにするスマート枕システム及びその製作方法を提供できる。
【００９６】
本発明の属する技術分野の当業者は、本発明がその技術的思想や必須特徴を変更せずに他の具体的な形態で実施できるので、以上で記述した各実施例はあらゆる面で例示的なものであり、限定的ではないものと理解すべきである。本発明の範囲は、上記詳細な説明よりは後述する特許請求範囲によって示され、特許請求範囲の意味及び範囲、そしてその等価概念から導出されるあらゆる変更または変形された形態は本発明の範囲に含まれるものと解析されるべきである。
【産業上の利用可能性】
【００９７】
本発明は、枕をして寝ている睡眠者の熟睡状態を感知して、目覚めた場合、睡眠者を管理する使用者のスマートフォンに通報し、睡眠者の脳波情報に基づき睡眠者の熟睡に最も適合した音楽や音響を枕を通して睡眠者に提供して睡眠者が再度熟睡ができるようにするスマート枕システム及びその製作方法に適用できる。
【符号の説明】
【００９８】
１００：スマート枕システム
１１０：枕
１２０：使用者端末機
２１０：本体フレーム
２１２：貫通孔
２２０：睡眠感知部
２３０：通信部
２４０：非睡眠アラーム部
２５０：音響出力部
２６０：脳波測定部
３１０：通信部
３２０：メモリー部
３３０：入力部
３４０：アラーム処理部
３５０：アプリケーション部
【図１】
2016527009.tif 000003
【図２】
2016527009.tif 000004
【図３】
2016527009.tif 000005
【図４】
2016527009.tif 000006
【図５】
2016527009.tif 000007
【図６】
2016527009.tif 000008
【図７】
2016527009.tif 000009
【図８】
2016527009.tif 000010
【図９】
2016527009.tif 000011
【図１０】
2016527009.tif 000012
【図１１】
2016527009.tif 000013
【図１２】
2016527009.tif 000014
【図１３】
2016527009.tif 000015
【図１４】
2016527009.tif 000016
【図１５】
2016527009.tif 000017
【図１６】
2016527009.tif 000018
【国際調査報告】
2016527009.tif 000019
2016527009.tif 000020
2016527009.tif 000021
2016527009.tif 000022